(57)【要約】【課題】従来技術による感度向上の手段である、磁性シートを文字盤に貼り付ける方式では、磁性シートを文字盤よりも風防手段側に配置することができず、感度向上が十分になされないという問題があった。【解決手段】時計に標準的に具備されている指針の一部または全部を磁性体で構成して磁性部とする。標準電波を受信するとき、アンテナの端部と指針に設ける磁性部とが平面的に重なるようにする。このようにすることで、アンテナと指針の磁性部とが磁気的に結合し、標準電波を受信するときだけアンテナの磁束収集部分が大きくなる。通常、指針は風防手段側に設けられることから、時計外装などに妨げられることなく、より多くの磁束を収集できる。【選択図】図１
2009069128.tif 000002
【特許請求の範囲】
【請求項１】
標準電波を受信するためのアンテナおよび受信手段を有し、
前記標準電波を受信して時刻情報を得て、指針を用いて時刻，日付や曜日，時計の状態を報知する電波修正時計において、
前記指針は、磁性体で構成する磁性部を有し、
前記アンテナが前記標準電波を受信するとき、前記アンテナの一部と前記磁性部とが平面的に重なることで磁気的に結合することを特徴とする電波修正時計。
【請求項２】
前記磁性部に、前記アンテナの方向に突出する突起を有するか、前記アンテナの一部に、前記指針の方向に突出する突起を有するかして、双方いずれかの前記突起と前記アンテナまたは前記磁性部との距離が接近するようにしたことを特徴とする請求項１に記載の電波修正時計。
【請求項３】
前記指針と前記アンテナとの間には、文字盤を備え、
前記文字盤は、前記アンテナの一部と前記磁性部とが平面的に重なる部分に、その厚みが薄い薄肉部または開口部を有し、
前記アンテナが前記標準電波を受信するとき、前記アンテナの一部と前記磁性部とが前記薄肉部を介するか、または前記開口部を通して磁気的に結合することを特徴とする請求項１または２に記載の電波修正時計。
【請求項４】
前記アンテナは、磁性体で構成するアンテナコアと、該アンテナコアの周囲に導線を巻回してなる巻線部と、前記アンテナコアの長手方向の少なくとも一方の端部に前記アンテナコアと同一体または前記アンテナコアと磁気的に接続している磁性体で構成する拡張部と、を有し、
前記アンテナコアの一部とは、前記拡張部であることを特徴とする請求項１から３のいずれか１つに記載の電波修正時計。
【発明の詳細な説明】
【技術分野】
【０００１】
本発明は、時刻情報を含む所定の電波を受信し、その情報に基づいて時刻を修正する機能を有する電波修正時計用アンテナに関し、特に腕時計型の電波修正時計用アンテナに関するものである。
【背景技術】
【０００２】
電波修正時計は、１００万年に１秒の精度を持つセシウム原子時計による時刻情報や日付情報を含む標準電波（例えば、４０ｋＨｚの電波）を内蔵するアンテナで受信し、時刻の誤差を修正する機能を具備している時計である。このため、一ヶ月あたり２０秒程度の誤差が生じるクォーツ時計と比べて常時正確な時刻を表示することが可能であり、時刻修正の手間を省くことができるため、近年急速に普及しつつある。
【０００３】
電波修正時計において、受信性能を決めるのは、アンテナ特性と受信回路特性とである。
受信アンテナの種類としては、標準電波の波長が５ｋｍ前後と長く、腕時計内部において波長方向による共振を行うことが難しいため、強磁性体などで構成するコアに導線を巻き付けたコイル状のバーアンテナを用いるのが一般的である。このバーアンテナを透過する磁束によってコイルに起電力を得る。
【０００４】
受信回路は、受信アンテナの出力を元に時刻情報を検知し、時計用ムーブメントに伝えるものである。時計用ムーブメントとは、電池や時計動作に必要な計時回路などの回路要素を１ユニットにまとめた複合部品をいう。場合によっては、文字盤や液晶表示装置などの時刻表示手段も含むこともある。
【０００５】
腕時計型の電波修正時計は、時計としての機能のほかに趣向品としての役割も持つことから、デザインや質感は重要である。特に時計としての高級感は重要な要素であり、時計本体の外装を金属で構成する金属外装が望まれている。
【０００６】
しかしながら、受信アンテナの出力は、金属外装に収納すると極端に低下してしまう。これは、金属外装表面で渦電流が生じ、標準電波の磁束が時計外装を貫けなくなるため時計内部に入りにくくなること、アンテナに流れる電流によって発生する磁束が、金属外装表面で発生する渦電流による反磁束によって妨げられることとで、受信アンテナに流れる電流が妨げられるためである。
【０００７】
すなわち、腕時計型の電波修正時計は、金属外装が望まれているものの標準電波を受信しにくいという問題があった。そのため、金属外装でも受信可能な技術は多くの提案をみるものである。例えば、アンテナの形状を改良する技術である。アンテナの受信感度を向上させることによって、標準電波をより多く受信することができる。
腕時計型の電波修正時計は、すでに説明したとおりバーアンテナを用いる場合が多く、バーアンテナの形状を改良して受信感度を向上させる技術が知られている（例えば、特許文献１参照。）。
【０００８】
図９は、特許文献１に示した従来技術のアンテナを収納した電波修正時計を説明するための図であって、説明しやすいようにその主旨を逸脱しないように書き直したものである。
図９において、１は金属からなる時計外装、２はアンテナコア、３はアンテナコア２の長手方向に導線を巻回した巻線部、４はアンテナコア２の膨出部、５は磁性シート部、６
は文字盤、７は時計外装１と図示しない時計バンドとを結合するためのかん足である。
特許文献１に示した従来技術のアンテナは、アンテナコア２，巻線部３，膨出部４，磁性シート部５で構成している。なお、巻線部３は、実際は細い導線が整然と巻回されているが、見やすくするために筒状に図示している。また、説明に必要がない部分は省略してある。
【０００９】
図９に示したように、特許文献１に示した従来技術は、時計外装１の内部にアンテナと文字盤６とを備えている。文字盤６側を時計外装１に設ける図示しない風防手段側、その反対側を図示しない裏蓋側とすると、アンテナは文字盤６と平面的に重なるように、そして裏蓋側に設けている。アンテナコア２の両端に設けられた膨出部４に磁性シート部５を設けている。この磁性シート部５は、図示しない風防手段側の文字盤６の下面に設けている。
【００１０】
このような構成にすることで、磁性シート部５は、電波受信面となり、時計外装１によって磁束の進入が阻まれにくい風防手段側からの磁束を効率よく収集することができ、標準電波による磁束をより多くアンテナコア２に導くことができるのである。また、磁性シート部５は、文字盤６の下面に設けているから、文字盤６による時刻報知を妨げることはない。
【００１１】
【特許文献１】特開２００６−３３３１８３号公報（第１５頁、第１１図）
【発明の開示】
【発明が解決しようとする課題】
【００１２】
特許文献１に示した従来技術に記載の発明では、図示しない風防手段側から効率よく磁束を収集するために、文字盤６の下面に面状の磁性シート部５を設けている。このような構成では、磁性シート部５に如何に多く標準電波を到達させるかが重要であって、そのためには標準電波が文字盤６を貫通して磁性シート部５に到達しなければならない。
【００１３】
先にも述べたように、腕時計型の電波修正時計は、時計としての機能のほかに趣向品としての役割も持つことから、その装飾性は重要な要素である。そのため、特に風防手段側から見たときの文字盤のデザインは重要である。近年、文字盤をより美しく見せる装飾を施した時計が好まれており、文字盤に金属製の飾りを施したものや文字盤そのものを金属で構成するものが知られている。
【００１４】
そのような装飾を施した文字盤を電波修正時計に採用すると、特許文献１に示した従来技術に記載の発明では、文字盤６を標準電波が貫通しにくくなり、磁性シート部５を有していても、充分な標準電波の受信はできなくなってしまう。
【００１５】
特許文献１に示した従来技術に記載の発明の改良案として、例えば、磁性シート部５を文字盤６の表面（図示しない風防手段側）に配置することで、装飾を施した文字盤６の影響を無くすことが考えられる。しかしながら、それは時計の美観という観点からは好ましくなく、また、そもそもその磁性シート部５がカバーのようになってしまい時刻を読み取りにくくなるという問題もある。
【００１６】
したがって、特許文献１に示した従来技術に記載の発明は、時計としての装飾性と標準電波の受信性能の向上とを両立させることができないのである。本発明の電波修正時計は、このような課題を解決するためになされたものである。
【課題を解決するための手段】
【００１７】
上記目的を達成するために、本発明の電波修正時計は、次のような構造を採用する。
【００１８】
標準電波を受信するためのアンテナおよび受信手段を有し、標準電波を受信して時刻情報を得て、指針を用いて時刻，日付や曜日，時計の状態を報知する電波修正時計において、
指針は、磁性体で構成する磁性部を有し、アンテナが前記標準電波を受信するとき、アンテナの一部と磁性部とが平面的に重なることで磁気的に結合することを特徴とする。
【００１９】
磁性部に、アンテナの方向に突出する突起を有するか、アンテナの一部に、指針の方向に突出する突起を有するかして、双方いずれかの突起とアンテナまたは磁性部との距離が接近するようにしたことを特徴とする。
【００２０】
指針とアンテナとの間には、文字盤を備え、文字盤は、アンテナの一部と磁性部とが平面的に重なる部分に、その厚みが薄い薄肉部または開口部を有し、アンテナが標準電波を受信するとき、アンテナの一部と磁性部とが薄肉部を介するか、または開口部を通して磁気的に結合することを特徴とする。
【００２１】
アンテナは、磁性体で構成するアンテナコアと、アンテナコアの周囲に導線を巻回してなる巻線部と、アンテナコアの長手方向の少なくとも一方の端部にアンテナコアと同一体またはアンテナコアと磁気的に接続している磁性体で構成する拡張部と、を有し、アンテナコアの一部とは、拡張部であることを特徴とする。
【発明の効果】
【００２２】
本発明の電波修正時計は、風防手段側から効率よく磁束を集めるために、腕時計に本来具備されている時刻，日付や曜日，時計の状態などさまざまな情報を示すための指針を集磁部材として利用するものである。
つまり、指針に磁性部を設け、標準電波を受信するとき、アンテナと指針の磁性部とが平面的に重なることで双方が磁気的に結合し、アンテナの磁束収集部分が指針の磁性部の分だけより大きくなり、より多く磁束をアンテナに流すことができる。これにより、アンテナの出力が増大し、標準電波の受信性能が向上するのである。
【発明を実施するための最良の形態】
【００２３】
本発明の電波修正時計は、時計に具備されている指針を利用してアンテナの磁束収集部分をより大きくするものである。標準電波を受信するときに指針を磁束収集部分として用いるため、実質的にアンテナが大きくなったと同じである。換言すれば、アンテナ単体を大きくしなくてもよいから、時計内部に設けるアンテナが小さくても、標準電波をより多く受信することができる。これにより、時計が大型化しないため、時計としての装飾性や美観と標準電波の受信性能の向上とを両立させることができる。
【００２４】
次に、本発明の電波修正時計を図面を用いて詳述する。説明に用いる指針は、時刻を表示するための分針や時針、曜日や日を示すために設ける針、ストップウォッチなどの計測動作をする際の針、時計が複数の機構を持つ場合に時計の動作モードや状態を示す針などを例にして説明する。
【実施例１】
【００２５】
［第１の実施形態の説明：図１、図２］
以下図面を用いて本発明の電波修正時計の第１の実施形態について説明する。図１は本発明における電波修正時計用を説明するものであり、図１（ａ），（ｂ）は電波修正時計の図示しない風防手段側から見た平面図である。図１（ａ）は時計が標準電波を受信していないときの様子を模式的に示すものであり、図１（ｂ）は時計が標準電波を受信しているときの様子を模式的に示すものである。図１（ｃ）は図１（ｂ）に示すような時計が標
準電波を受信しているときのアンテナと指針との関係を詳しく説明するための図であって、本発明の電波修正時計を３時方向または９時方向から見たときの様子を模式的に示す断面図である。なお、図１においては、説明の必要がない構成は省略してある。
【００２６】
図１において、１は金属からなる時計外装、２はアンテナコア、３はアンテナコアに導線を巻回された巻線部、６は文字盤、７は電波修正時計と図示しないバンドを結合するためのかん足、８はりゅうず、９はアンテナコア２の端部に設けられてアンテナコア２と磁気的に接続している拡張部である。
【００２７】
拡張部９は、標準電波による磁束を収集する磁束収集部分であって、その平面形状を多角形状や扇形状のような羽形状としており、その断面形状は文字盤６の方向に曲がっている。アンテナコア２および拡張部９は、磁性体で構成しており、双方は、一体で構成するか、物理的にネジ止めや接着剤などを用いて接続しているか、磁気的に結合する状態になっており、磁束が流れるようになっている。双方が磁気的に接続しているとは、このような状態をいう。
【００２８】
１０は時計中心、１１は長針（例えば、分針）、１２は短針（例えば、時針）、２１は長針１１の端部に設けられた長針磁性部、２２は短針１２の端部に設けられた短針磁性部である。３６はアンテナであり、アンテナコア２と巻線部３と拡張部９とで構成している。
【００２９】
なお、巻線部３は実際は細い導線が整然と巻回されているが、見やすくするために筒状に図示している。また、文字盤６は、実際には時刻報知のための立体構造物や文字盤装飾のためのプリントなどが施されているが図を見やすくするためにそれらは省略している。
【００３０】
長針１１と短針１２とは、時計中心１０に設ける図示しないシャフト（回転軸）に接続しており、このシャフトを中心に回転する。このシャフトには、図示しないがモーターやギア（歯車）などを有する機械駆動手段が接続している。なお、それらの構成や構造については、指針を有する時計では公知の技術であるから、説明は省略する。
【００３１】
図１（ａ）に示すように、標準電波を受信していないときは、長針１１と短針１２とは通常の時計と同じように、時刻情報を報知している。図１（ａ）に示す例では、おおよそ４時１０分という時刻を示している。
標準電波を受信するときは、長針１１と短針１２とが移動する。この例では、時刻６時０分（つまり、６時丁度）を示す位置に移動する。そして、この位置において図１（ｃ）にも示すように、アンテナ３６の拡張部９と長針磁性部２１および短針磁性部２２とが平面的に重なる。長針磁性部２１および短針磁性部２２は、文字盤６を介してアンテナ３６の拡張部９と磁気的に結合し、アンテナ３６の磁束収集部分は、この長針磁性部２１と短針磁性部２２との分だけ大きくなったことになる。
【００３２】
このようにすると、標準電波の磁束は、長針磁性部２１や短針磁性部２２と磁気的に結合している拡張部９を介してアンテナコア２に流れ、巻線部３に起電力を生ずるのである。長針磁性部２１と短針磁性部２２とは、図示しない風防手段側に配置されており、標準電波の到来方向に時計外装１などの遮蔽物はない。これにより、標準電波をより多く受信することができるのである。
【００３３】
標準電波を受信するとき、長針磁性部２１および短針磁性部２２は、拡張部９と磁気的に結合していなければならないため、双方はできるだけ近接していることが望ましい。そのため、図１（ｃ）に示すように、長針１１と短針１２とは、時計中心１０から時計外装１の方向に向かうにつれて次第に文字盤６に近付くようにカーブを描くような形状にする
ことが望ましい。このようにすると、短針１２は文字盤６の表面ぎりぎりまで接近することができ、長針１１は、文字盤６との間に短針１２が通るに足りる距離だけ離間して接近させることができるのである。
【００３４】
なお、図示はしないが、長針１１または短針１２と平面的に重なる文字盤６には、その位置に文字盤６の厚さを薄くする薄肉部や文字盤６を開口する開口部を設けてもよい。
このような構成にすれば、拡張部９と長針磁性部２１および短針磁性部２２との間の遮蔽物が少なくなるか無くなり、磁気的により強くこれらが結合することができ、それにより、より多くの磁束をアンテナコア２に導くことができるのである。
【００３５】
長針１１と短針１２とに長針磁性部２１および短針磁性部２２を設けるための手段としては、例えば、長針１１と短針１２とを非磁性材で構成して、長針磁性部２１および短針磁性部２２を構成する部分に磁性体粉末を塗布する、磁性体からなる部材を指針端部に溶接する、または指針に埋め込む、など広く知られた手段を採用することができる。
【００３６】
長針１１と短針１２とに設ける長針磁性部２１および短針磁性部２２は、その大きさや形状を受信したい標準電波の周波数や電波修正時計の形状または材質、時計のデザインなどにより自由に選択することができる。
一般的にこのように指針の端部を磁性体とすると端部質量が増加して慣性モーメントが増加するから、指針を回転させるために必要な電力が増加する。したがって、時計の消費電力を鑑みて長針磁性部２１および短針磁性部２２の大きさや形状を選択することが好ましい。
【００３７】
また、長針１１と短針１２とにおける長針磁性部２１および短針磁性部２２の大きさや形状などは、上述の理由の他にも制約がある。図１に示す例のように、長針１１と短針１２とが接近して配設している場合である。
図１に示す例では、長針１１と短針１２とは、時計中心１０を軸として回転可能に配設しており、互いは時計中心１０の近傍で常に平面的に重なり合っている。このため、時計中心１０の近傍まで長針磁性部２１および短針磁性部２２を大きくしてしまうと、標準電波の磁束が他方の指針を介して抜けてしまい、アンテナコア２に到達しなくなってしまうのである。
図１（ｂ）に示すようなアンテナ３６と長針１１および短針１２との配置例では、例えば、磁束を１２時位置の長針磁性部２１で捕捉しても、時計中心１０の近傍で長針１１から短針１２を経由して６時位置の短針磁性部２２から抜けてしまい、アンテナコア２には流れなくなってしまうのである。
【００３８】
したがって、標準電波をより多く受信するため、長針１１と短針１２とに設ける長針磁性部２１および短針磁性部２２をより大きくしようとするときは、長針１１と短針１２とを経由して磁気的に結合してしまうほどその磁性部同士が接近してはならず、必ず磁束がアンテナコア２を経由するようにしなければならないのである。
【００３９】
すでに説明したように拡張部９は、その平面形状を多角形状や扇形状のような羽形状としており、その断面形状は文字盤６の方向に曲がっている。もちろんその形状は、図に示す例に限定するものではないが、より確実に長針磁性部２１および短針磁性部２２と磁気的に結合するために、拡張部９の端部を長針１１および短針１２により近づく方向に向ける形状が好ましい。同じく、拡張部９の平面的な形状も、拡張部９と長針磁性部２１および短針磁性部２２とが平面的に重なる面積がより大きくなるようにする方が好ましいのである。
また、拡張部９は、アンテナコア２と一体に形成しても、別体で形成してもよい。例えば、アンテナコア２と拡張部９とは、ネジ止めや接着剤による固定や固定部材を介しての
固定などの知られている接続手法を用いることができる。
必要なことは、拡張部９とアンテナコア２との間で磁束が流れるようになっていればよく、双方が若干離間していても、磁気的に結合することができればよいのである。
【００４０】
図１に示す例では、アンテナ３６の位置を時計の９時方向のやや１２時方向寄りに設ける例を示しているが、もちろんこれは一例であって、時計内部のムーブメントの構成や形状などにより、自由に選択することができる。
電波修正時計内部のどこにアンテナ３６を備えても、アンテナ３６を備える位置が決まると拡張部９の位置も決まるから、その拡張部９の位置に長針磁性部２１および短針磁性部２２を平面的に重なるように移動させればよいのである。
【００４１】
［第１の実施形態における別の形状の説明：図２］
次に、本発明の電波修正時計の第１の実施形態について、別の構造の例を図２を用いて説明する。図２は、本発明の電波修正時計を３時方向または９時方向から見たときの様子を模式的に示す断面図である。図２において、３２ａ，３２ｂは磁性体によって構成する突起部である。すでに説明した構成には同一の番号を付与しているため、説明は省略する。
【００４２】
上述の突起部は、長針１１または短針１２に設けるものであり、もちろん図２に示すように両方に設けてもよい。大切なことは、長針１１または短針１２に設ける突起部とアンテナ３６との距離が接近するように突起部３２ａ，３２ｂを設けるのである。
図２に示す例では、長針磁性部２１には突起部３２ａ、短針磁性部２２には突起部３２ｂがそれぞれ設けてある。突起部３２ａ，３２ｂは、アンテナ３６の拡張部９の方向に突出している。
標準電波を受信するとき、アンテナ３６の拡張部９と長針磁性部２１および短針磁性部２２とは平面的に重なっており、このとき突起部３２ａ，３２ｂは、文字盤６を挟み拡張部９と対向するようになっている。
【００４３】
図２に示す例では、長針１１と短針１２とは、時計中心１０を同軸として回転するように設けている。長針１１を分針、短針１２を時針とすると、時刻表示を行うときに長針１１と短針１２とが重なっても、長針磁性部２１の突起部３２ａは、短針１２に接触しない位置、つまり長針１１の先端部分近傍に設けている。
【００４４】
突起部３２ａ，３２ｂは、磁性体で構成しているため、長針磁性部２１と短針磁性部２２とは、突起部３２ａ，３２ｂの分だけアンテナ３６の方向に近づいたことになり、より拡張部９との磁気的結合度が上昇して、長針磁性部２１および短針磁性部２２によって収集した磁束を突起部３２ａ，３２ｂを通じて効率よくアンテナコア２へ導くことができるのである。
【００４５】
また、時計の装飾品としての美観という観点で考えた場合、長針１１と短針１２とに突起部３２ａ，３２ｂを設けても、その方向は文字盤６の方向であるから、突起部３２ａ，３２ｂが時計外部より見ることがほとんどないため、時計の美観に影響を与えることが少ない。
【００４６】
［第１の実施形態における別の形状の説明：図３］
次に、本発明の電波修正時計の第１の実施形態について、別の構造の例を図３を用いて説明する。図３は、本発明の電波修正時計を３時方向または９時方向から見たときの様子を模式的に示す断面図である。図３において、３３は文字盤６の薄肉部、３４は文字盤６の開口部である。３５は拡張部９に設ける磁性体によって構成する突起部である。薄肉部３３は、文字盤６の厚さを薄くした部分であり、開口部３４は、文字盤６を貫通するよう
に開口した穴である。すでに説明した構成には同一の番号を付与しているため、説明は省略する。
【００４７】
突起部３５は、アンテナ３６の拡張部９に設けるものであり、アンテナコア２の両端部に設ける両方の拡張部９に設けることが望ましい。突起部３５は、長針１１と短針１２との方向に突出している。
図３（ａ）に示す例では、文字盤６の薄肉部３３の位置に平面的に一致するように突起部３５が設けてある。また、図３（ｂ）に示す例では、文字盤６の開口部３４に対応する位置に突起部３５が設けてある。突起部３５の端部は、開口部３４を通して文字盤６と同一の平面になるか、または文字盤６より上部に突出している。
【００４８】
また、図３では、突起部３５と薄肉部３３および開口部３４とは、嵌合するように図示されているが、突起部３５より薄肉部３３および開口部３４が大きくてもよい。
大切なことは、薄肉部３３や開口部３４を介して突起部３５がより長針１１または短針１２の方向に近づき、磁気的により強くアンテナ３６と長針磁性部２１と短針磁性部２２とが結合するようにすることである。
【００４９】
標準電波を受信するとき、アンテナ３６の拡張部９と長針磁性部２１および短針磁性部２２とは平面的に重なっており、このとき突起部３５は、文字盤６を挟むか文字盤６を貫通して長針磁性部２１および短針磁性部２２と対向するようになっている。
【００５０】
図３に示す例では、長針１１と短針１２とは時計中心１０を同軸として回転するように設けている。長針１１を分針、短針１２を時針とすると、図３（ｂ）に示す例では、時刻表示を行うときであっても、突起部３５は、長針１１または短針１２に接触しないようになっている。
【００５１】
突起部３５は磁性体で構成しているため、拡張部９は、突起部３５の分だけ長針１１と短針１２との方向に近づいたことになる。図３（ａ）に示す例では、文字盤６の厚みに比べてより薄い薄肉部３３を介して拡張部９と長針磁性部２１および短針磁性部２２とが対向するため、磁気的結合度がより上昇して、長針磁性部２１および短針磁性部２２によって収集した磁束を突起部３５を通じて効率よくアンテナコア２へ導くことができるのである。また、図３（ｂ）に示す例では、文字盤６に設ける開口部３４により文字盤６の厚みを考えることなく拡張部９と長針磁性部２１および短針磁性部２２とがより接近するため、磁気的結合度がさらに上昇して、長針磁性部２１および短針磁性部２２によって収集した磁束を突起部３５を通じてより多くアンテナコア２へ導くことができるのである。
【００５２】
図示はしないが、文字盤６に設ける薄肉部３３に開口部３４を設けてもよい。これは、拡張部９に設ける突起部３５の形状が凸型をしているときに用いることができる。このように、突起部３５の形状は円錐型や円柱型などを用いることができ、それに合わせて開口部３４の形状や薄肉部３３の形状を選択することができる。
【００５３】
また、時計の装飾品としての美観という観点で考えた場合、図３（ａ）に示す例では、文字盤６を平面でみたときに薄肉部３３は見えないため、何らの影響はない。図３（ｂ）に示す例では、文字盤６には開口部３４が見えてしまうが、知られているカレンダー表示機能付き時計の日付表示窓のように、デザイン上の工夫によって目立たせなくすることもでき、時計の美観に影響を与えることが少ない。
【００５４】
図２と図３とを用いて説明した構造は、組み合わせて用いてもかまわない。つまり、長針磁性部２１および短針磁性部２２にアンテナ３６の方向に突起部３２ａ，３２ｂを設けると共に、アンテナ３６の拡張部９に長針１１および短針１２の方向に突起部３５を設け
、文字盤６の薄肉部３３を介するかまたは開口部３４を用いて突起部３２ａ，３２ｂと突起部３５とを接近させてもよいのである。
このような構成にすることによって、拡張部９と長針磁性部２１および短針磁性部２２との磁気的結合度がさらに上昇して、長針磁性部２１および短針磁性部２２によって収集した磁束をより多くアンテナコア２へ導くことができるのである。
【実施例２】
【００５５】
［第２の実施形態の説明：図４］
以下図面を用いて本発明の電波修正時計の第２の実施形態について説明する。図４は本発明における電波修正時計用を説明するものであり、図４（ａ）は電波修正時計の図示しない風防手段側から見た平面図である。図４（ｂ）は本発明の電波修正時計を３時方向または９時方向から見たときの様子を模式的に示す断面図である。なお、図を見やすくするため、短針１２および説明の必要がない構成は省略してある。
【００５６】
図４において、２０はシャフト、３０は領域、３１は小針である。なお、すでに説明した構成には同一の番号を付与している。
シャフト２０は、時計内に設ける小針３１の回転中心であり、時計中心１０とは異なる位置にある。領域３０の中心にはシャフト２０があり、このシャフト２０を中心にして小針３１が回転する。領域３０はこの小針３１の回転範囲を示すものであり、文字盤６の領域を示すものであっても、文字盤６と一体または別体に構成するものであってもよく、同じ材質または異なる材質で構成してもよい。
【００５７】
小針３１は、例えば、電波修正時計の表時情報以外の補佐的な情報、ストップウォッチなどの計測動作をする際の指針、電波修正時計の動作モードを指し示す指針である。もちろん、時計の秒針や日付を示す指針であってもよい。大切なことは、長針１１とは離間して設けているという点である。
小針３１は、長針１１と離間しているため、その全体を磁性体で構成することができる。長針１１には長針磁性部２１があるが、すでに説明したように、アンテナ３６の拡張部９と指針に設ける磁性部とが磁気的に結合したとき、指針同士を通して磁束が流れ、アンテナコア２に磁束が流れないことがある。しかし、図４に示すように、長針１１と小針３１とが離間しているため、長針１１に設ける長針磁性部２１を大きくしても、長針１１から小針３１に向かって磁束が流入することはない。したがって、この長針１１全体を磁性体で構成することもできる。
【００５８】
標準電波を受信するときは、長針１１と小針３１とが移動する。この例では、双方共に回転する。そして、この位置において図４（ｂ）にも示すように、アンテナ３６の拡張部９と長針磁性部２１および小針３１とが平面的に重なる。長針磁性部２１および小針３１は、文字盤６を介してアンテナ３６の拡張部９と磁気的に結合し、アンテナ３６の磁束収集部分は、この長針磁性部２１と小針３１との分だけ大きくなったことになる。
このようにすると、標準電波の磁束は、長針磁性部２１や小針３１と磁気的に結合している拡張部９を介してアンテナコア２に流れ、巻線部３に起電力を生ずるのである。
【００５９】
その後の状況は、すでに説明した本発明の電波修正時計の第１の実施形態と同じであるが、図４に示す構成は、長針１１と小針３１とが離間しているため、双方全てを磁性体で構成することができるため、アンテナ３６の拡張部９に磁気的に結合する部分をより大きくすることができるのである。これにより、標準電波をさらに多く受信することができるのである。
【００６０】
［第２の実施形態における別の形状の説明：図５］
次に、本発明の電波修正時計の第２の実施形態について、別の構造の例を図５を用いて説明する。図５（ａ）は電波修正時計の図示しない風防手段側から見た平面図である。図５（ｂ）は本発明の電波修正時計を３時方向または９時方向から見たときの様子を模式的に示す断面図である。なお、図を見やすくするため、短針１２および説明の必要がない構成は省略してある。
【００６１】
図５において、３７はギアである。なお、すでに説明した構成には同一の番号を付与している。
ギア３７は、小針３１の回転軸であるシャフト２０に嵌合している。ギア３７は、小針３１を回転駆動するための歯車である。
図５に示す例では、ギア３７とシャフト２０とは、磁性体で構成している。図４に示す例と同様に、小針３１も磁性体で構成することができる。つまり、図４に示す例との違いは、小針３１を回転駆動する機構が磁性体で構成しているという点である。すなわち、アンテナ３６の拡張部９と磁気的に結合する部分がより大きくなっているのである。
【００６２】
図５に示す例では、標準電波による磁束は、小針３１によって捕捉され、シャフト２０とギア３７とを経由して拡張部９に流れるのである。時計内部の部品構成などの問題により、拡張部９を小針３１に近接して設けることができない場合は、この構造を使用することで拡張部９と小針３１を磁気的に結合させることができるのである。
【００６３】
図５に示す例においては、拡張部９は１つのギア３７を経由してシャフト２０と磁気的に接合しているが、ギア３７を複数の歯車から構成してもかまわない。その際は、複数の歯車すべてを磁性体とすることでそれらを経由して小針３１によって補足した磁束をアンテナコア２に導くことができる。
もちろん、複数の歯車全てを磁性体で構成する必要はない。時計内部の構成に応じて歯車が小針３１とシャフト２０と磁気的に結合していればよい。
【００６４】
図４，図５で説明した本発明の第２の実施形態では、小針３１は円形の領域３０を回転する例を示したが、もちろんこれに限定するものではない。扇形の領域を指針が移動するものなどであってもよい。必要なことは、標準電波を受信するとき、アンテナ３６の拡張部９と指針に設ける磁性体とが平面的に重なり、アンテナ３６の磁束収集部分が大きくなるということである。
【００６５】
以上説明した本発明の第２の実施形態の指針に、図２，図３を用いて説明した第１の実施形態の突起部３２ａ（３２ｂ）、突起部３５を設けてもよい。例えば、図５に示す長針１１に図２に示す突起部３２ａを備え、文字盤６に図３に示す薄肉部３３や開口部３４を設けて拡張部９に設ける突起部３５を介して磁気的に結合させてもよいのである。
【００６６】
本発明の電波修正時計は、指針を回転するなどしてアンテナと平面的に重ね、双方を磁気的に結合させる。次に、本発明の電波修正時計が標準電波を受信するときの動作の流れをフロー図を用いて説明する。
【００６７】
標準電波を受信していない通常状態のとき、長針１１，短針１２のような指針は、時計内の時刻回路により保持されている時刻や曜日や日付などを表示している。この時計内の時刻回路は、水晶発振器などを用いて発生させた源振クロックを分周させて所定の時間を表す広く知られている計時手段を用いて常時現在時刻を計測している。
はじめに、現在時刻を表示している状態の指針位置を現在時刻位置と定義し、拡張部９と長針磁性部２１および短針磁性部２２とを平面的に重ねる指針位置を受信時針位置と定義する。
【００６８】
また、標準電波を受信して時刻情報を得るタイミングは、２通りある。１つは、本発明の電波修正時計を用いる使用者が任意の時刻に受信する場合、もう１つは本発明の電波修
正時計が予め設定してある時刻で受信する場合である。前者は、時計外装に用意されたりゅうずやボタン等を使用者が操作するなどするスイッチ操作がなされたときに受信を開始するようにする。後者の予め設定された任意の時刻を自動受信時刻とする。
【００６９】
［指針駆動の例示１：図１、図６］
図６に示すように、標準電波を受信するとき、スイッチ操作（Ｓ１ａ）がなされたか、または自動受信時刻である所定の時刻（Ｓ１ｂ）になると、指針位置を現在の時刻を表示している現在時刻位置から拡張部９と長針磁性部２１および短針磁性部２２とが平面的に重なるような受信時針位置に移動する（Ｓ２）。
【００７０】
指針を受信位置に移動するには運針制御手段による。運針制御手段は、電波修正時計の形状などからアンテナ３６の配置位置から予め記憶されている受信時針位置と、時計内の時刻回路により保持されている時刻情報とにより、指針をどれだけ移動させれば受信時針位置にすることができるかを算出する。
運針制御手段は、その算出結果に基づいて指針を移動させるが、図１に示す例のように時計中心１０を同軸として長針１１および短針１２が設けている場合は、これら２つの針を回転させる。
【００７１】
このような制御は、回転時の回転速度などに加えて、長針１１と短針１２とを独立に回転させる方がよいか、正回転（いわゆる時計回り）させるか、逆回転させるかなどを現在時刻位置と受信時針位置との指針の位置関係などを鑑みて適宜判断する。
このような判断および制御は、電波修正時計の指針の駆動方法（例えば、長針と短針とを独立に回転制御できる機構を搭載しているか否かなど）によって様々に決定されることは言うまでもないが、指針の回転制御は、例えば、時刻を指針によって表示する知られている時計の通常時刻からアラーム設定時刻への表示切替などに広く用いられている技術を使うことができる。
【００７２】
運針制御手段は、長針１１と短針１２とを算出された量だけ回転させることで長針１１と短針１２とを受信時針位置に配置させ、静止させる。この状態は、図１（ｂ）に示す針位置状態である。
長針１１と短針１２とが静止すると、アンテナ３６の拡張部９と長針磁性部２１および短針磁性部２２とが磁気的に結合され、長針磁性部２１および短針磁性部２２はアンテナ３６の磁束収集部分として働き、アンテナコア２に標準電波の磁束成分を収集する（Ｓ３）。
これにより、巻線部３に起電力が発生し、この起電力による電気信号を取り込むことで、標準電波の時刻情報を得ることができる。
【００７３】
電波修正時計の時刻修正手段は、知られている時刻修正の方法を用いて行い、受信に成功したとき（Ｓ４）は、時計内の時刻回路の時刻情報を示す値を受信して得られた値に変更する（Ｓ５）。
また、受信に失敗したとき（Ｓ６）は、時刻の修正は行わず時計内の時刻回路の時刻はそのままにしておく。
【００７４】
標準電波の受信の成功あるいは失敗が確定して受信動作が終了すると、指針が現在いる受信時針位置から時計内の時刻回路が示す時刻の針位置までの位置情報を示す値の差分を算出し、運針制御手段は、算出された位置情報を示す値の差分に応じて、長針１１および短針１２を時刻修正後の時刻表示位置に回転させる（Ｓ７）。その後、本発明の電波修正時計は、通常運針を行う（Ｓ８）。
【００７５】
［指針駆動の例示２：図１、図７］
次に、本発明の電波修正時計の別の指針駆動の例を説明する。標準電波を受信していない通常状態のとき、長針１１，短針１２のような指針は、時刻や曜日や日付などを表示している。この状態から受信動作に入るときは指針を移動させて、アンテナ３６の拡張部９と長針磁性部２１および短針磁性部２２とを平面的に重ね、標準電波を受信しての時刻修正を行うが、その後、時刻や曜日や日付などを表示する針位置に復帰させたい場合がある。例えば、指針が曜日やアラーム設定時刻などを指し示している場合、電波修正時計の所定の動作モードを指し示している場合である。このような場合は、もとの針位置に復帰させる必要がある。
【００７６】
図７に示すように、スイッチ操作（Ｓ１ａ）がなされたか、または所定の時刻（Ｓ１ｂ）になったあと、そのときの針位置を記憶手段に記憶する（Ｓ９）。長針１１，短針１２が、時刻を表示しているときは、指針位置検出手段が長針１１と短針１２との位置を検出し、現在時刻位置を時刻情報として記憶手段に格納する。記憶手段にすでに時刻情報が格納されている場合は、その情報を上書きする。
その後、電波修正時計の時刻修正手段は、知られている時刻修正の方法を用いて行うが、受信に失敗したとき（Ｓ６）は、時刻の修正は行わず時計内の時刻回路の時刻はそのままにしておき、記憶手段に格納している情報を基にして針位置を修正する（Ｓ１０）。
つまり、図７に示す例と図６に示す例との違いは、指針を受信位置に移動する前に、そのときの針位置を記憶手段に格納し、再び格納した針位置に戻す点である。
【００７７】
［指針駆動の例示２：図１、図８］
次に、本発明の電波修正時計のさらに別の指針駆動の例を説明する。標準電波の受信は、必ずしも成功するとは限らない。場所，天候，時間などの影響による電波状況の違いや、周囲にノイズを発生するものがあるなどの外的要因で受信を失敗することがある。
図８に示す例は、標準電波の受信に失敗したときに一回であきらめずにリトライ（再受信）する場合である。
【００７８】
まず、標準電波の受信に失敗したとき（Ｓ６）、同じ設定で複数回のリトライを行う仕様の場合、予め設定された受信回数に到達するまでリトライを開始する（Ｓ１１）。
複数局の標準電波を受信できる仕様の場合は、受信失敗した標準電波とは異なる標準電波発信局からの標準電波の受信に設定を変更し、リトライ再受信を開始する（Ｓ１２、Ｓ１３、Ｓ１４）。
この場合の受信回数および局切替の設定や判断する順序は任意であり、どのような組み合わせにするかは電波時計の仕様によって決定される。
複数局での受信失敗が各々既定回数に達した場合は受信を終了し、通常運針に復帰する（Ｓ８）。
【００７９】
なお、このリトライを行う際は、指針を標準電波を受信する前の針位置に戻してから再度受信時針位置に移動して受信を開始するか、あるいは針を移動させる時間の短縮や指針を移動させるときに使用する電力を節約するために指針の移動を行わないか、などは時計の仕様により任意に選択することができる。
【００８０】
また、受信の成功あるいは失敗の判断をしたとき、次の自動受信時刻やリトライの順序を設定しなおすようにしてもよい。
【００８１】
電波修正時計は、使用者の環境が標準電波の発信局から遠い場合や障害物などの影響で標準電波が受信しにくくなる場合などを鑑みて、標準電波の受信性能を向上させる必要がある。同時に、時計としての装飾性や美観を損ねてはならない。本願発明の電波修正時計は、上述の構成によって、時計としての装飾性や美観を損ねることなく、標準電波の受信性能の向上ができるものである。
【産業上の利用可能性】
【００８２】
本発明の電波修正時計は、指針に磁性部を設け、標準電波を受信するとき、この磁性部とアンテナとを磁気的に結合させることでより多くの磁束を収集することができる。このため、時計のサイズに影響を与えずに感度を向上させることができる。したがって、アンテナを大型化できない小型の電波修正時計や腕時計型電波修正時計に好適である。
【図面の簡単な説明】
【００８３】
【図１】本発明の電波修正時計の第１の実施形態における構造を説明する平面図および断面図である。
【図２】本発明の電波修正時計の第１の実施形態における異なる構造を説明する断面図である。
【図３】本発明の電波修正時計の第１の実施形態におけるさらに異なる構造を説明する断面図である。
【図４】本発明の電波修正時計の第２の実施形態における構造を説明する平面図および断面図である。
【図５】本発明の電波修正時計の第２の実施形態における異なる構造を説明する平面図および断面図である。
【図６】本発明の電波修正時計の針駆動を説明するフロー図である。
【図７】本発明の電波修正時計の針駆動の異なる動作を説明するフロー図である。
【図８】本発明の電波修正時計の針駆動のリトライ動作を説明するフロー図である。
【図９】従来技術を説明する断面図である。
【符号の説明】
【００８４】
１  時計外装
２  アンテナコア
３  巻線部
４  膨出部
５  磁性シート部
６  文字盤
７  かん足
８  りゅうず
９  拡張部
１０  時計中心
１１  長針
１２  短針
２０  シャフト
２１  分針磁性部
２２  短針磁性部
３０  領域
３１  小針
３２ａ，３２ｂ  突起部
３３  薄肉部
３４  開口部
３５  突起部
３６  アンテナ
３７  ギア
【図１】
2009069128.tif 000003
【図２】
2009069128.tif 000004
【図３】
2009069128.tif 000005
【図４】
2009069128.tif 000006
【図５】
2009069128.tif 000007
【図６】
2009069128.tif 000008
【図７】
2009069128.tif 000009
【図８】
2009069128.tif 000010
【図９】
2009069128.tif 000011